(57)【要約】【課題】  グリーン電力の導入量が増加しても、電力系統におけるコスト負担を抑制しつつ、出力変動に伴う電力系統への影響を抑制する。【解決手段】  親局装置は、発電所の発電設備全体を複数に分割した発電区画、および電力系統を介してグリーン電力により需要家側蓄電設備を充電可能な時間全体を複数に分割した充電時間帯を単位とするグリーン電力使用権を、当該グリーン電力使用権を取得した需要家と対応付けて記憶する発電所側記憶部と、発電所の発電電力を計測する計測部と、子局装置に発電電力を送信する発電所側通信部と、を有し、子局装置は、需要家が取得したグリーン電力使用権の発電区画および充電時間帯を記憶する需要家側記憶部と、親局装置から発電電力を受信する需要家側通信部と、需要家が取得したグリーン電力使用権に基づいて、発電電力の変化に応じて需要家側蓄電設備の充電を制御する需要家側制御部と、を有する。【選択図】  図１
2014239569.tif 000002
【特許請求の範囲】
【請求項１】
再生可能エネルギーによって発電されたグリーン電力の需給を管理するグリーン電力需給管理システムであって、
前記グリーン電力の発電所に設置される親局装置と、
前記グリーン電力が供給される電力系統の需要家に設置され、前記親局装置と通信可能な子局装置と、
前記需要家に設置され、前記電力系統に連系された需要家側蓄電設備と、
を備え、
前記親局装置は、
前記発電所の発電設備全体を複数に分割した発電区画、および前記電力系統を介して前記グリーン電力により前記需要家側蓄電設備を充電可能な時間全体を複数に分割した充電時間帯を単位とするグリーン電力使用権を、当該グリーン電力使用権を取得した需要家と対応付けて記憶する発電所側記憶部と、
前記発電所の発電電力を計測する計測部と、
前記子局装置に前記発電電力を送信する発電所側通信部と、
を有し、
前記子局装置は、
前記需要家が取得した前記グリーン電力使用権の前記発電区画および前記充電時間帯を記憶する需要家側記憶部と、
前記親局装置から前記発電電力を受信する需要家側通信部と、
前記需要家が取得した前記グリーン電力使用権に基づいて、前記発電電力の変化に応じて前記需要家側蓄電設備の充電を制御する需要家側制御部と、
を有することを特徴とするグリーン電力需給管理システム。
【請求項２】
請求項１に記載のグリーン電力需給管理システムであって、
前記需要家側制御部は、
前記需要家が取得した前記グリーン電力使用権の前記充電時間帯において、当該グリーン電力使用権の前記発電区画が前記発電設備全体に占める割合を前記発電電力に乗じた値に基づいて、前記需要家側蓄電設備の充電を制御することを特徴とするグリーン電力需給管理システム。
【請求項３】
請求項１または請求項２に記載のグリーン電力需給管理システムであって、
前記発電所に設置され、前記発電設備に接続された発電所側蓄電設備をさらに備え、
前記親局装置は、
前記需要家が前記グリーン電力使用権を取得しなかった発電区画および充電時間帯に基づいて、前記発電電力の変化に応じて前記発電所側蓄電設備の充電を制御する発電所側制御部をさらに有することを特徴とするグリーン電力需給管理システム。
【請求項４】
請求項１ないし請求項３の何れかに記載のグリーン電力需給管理システムであって、
前記需要家側通信部は、前記需要家が取得した前記グリーン電力使用権の前記発電区画および前記充電時間帯における最大発電電力量に相当する空き容量が前記需要家側蓄電設備に確保されない場合に、前記親局装置に当該グリーン電力使用権をキャンセルするキャンセル情報を送信し、
前記親局装置は、
前記発電所側通信部が前記子局装置から前記キャンセル情報を受信した場合に、当該キャンセル情報に基づいて、キャンセルされたグリーン電力使用権を他の需要家に配分する処理部をさらに有することを特徴とするグリーン電力需給管理システム。
【発明の詳細な説明】
【技術分野】
【０００１】
本発明は、グリーン電力需給管理システムに関する。
【背景技術】
【０００２】
近年、太陽光や風力などの再生可能エネルギーの普及が進んでおり、再生可能エネルギーによって発電されたグリーン電力を使用し、サステナブル（sustainable：持続可能な）社会の実現を求める需要家も増えつつある。しかしながら、グリーン電力の導入量が増加するにつれて、出力の不安定さに起因する電力品質の低下などの電力系統に対する影響が問題となっている。
【０００３】
例えば特許文献１や特許文献２では、需要家側において、発電所側から送信された情報に基づいて、住宅内の家電機器などの負荷に対する電力供給を制御するシステムが開示されている。特に特許文献２のシステムでは、太陽光発電の出力変動の計測データに基づいて、利便性に影響の出ない範囲で冷蔵庫やエアコン、給湯器の温度などを制御して可能な限り出力変動を吸収するとともに、蓄電池の充電を制御して残りの出力変動を吸収している。
【先行技術文献】
【特許文献】
【０００４】
【特許文献１】特開２０１２−７５２４６号公報
【特許文献２】特開２０１２−３９６８６号公報
【発明の概要】
【発明が解決しようとする課題】
【０００５】
今後、グリーン電力の導入量がさらに増加した場合、電力系統に蓄電設備を設置して、その充電を制御するシステムを構築することによって、グリーン電力の出力変動に伴う電力系統への影響を抑制することができる。しかしながら、グリーン電力の出力変動を抑制可能な容量を有する蓄電設備が必要となり、電力系統における設置コストや維持コストなどの負担が大きくなり、電気料金の上昇にもつながる恐れがある。
【課題を解決するための手段】
【０００６】
前述した課題を解決する主たる本発明は、再生可能エネルギーによって発電されたグリーン電力の需給を管理するグリーン電力需給管理システムであって、前記グリーン電力の発電所に設置される親局装置と、前記グリーン電力が供給される電力系統の需要家に設置され、前記親局装置と通信可能な子局装置と、前記需要家に設置され、前記電力系統に連系された需要家側蓄電設備と、を備え、前記親局装置は、前記発電所の発電設備全体を複数に分割した発電区画、および前記電力系統を介して前記グリーン電力により前記需要家側蓄電設備を充電可能な時間全体を複数に分割した充電時間帯を単位とするグリーン電力使用権を、当該グリーン電力使用権を取得した需要家と対応付けて記憶する発電所側記憶部と、前記発電所の発電電力を計測する計測部と、前記子局装置に前記発電電力を送信する発電所側通信部と、を有し、前記子局装置は、前記需要家が取得した前記グリーン電力使用権の前記発電区画および前記充電時間帯を記憶する需要家側記憶部と、前記親局装置から前記発電電力を受信する需要家側通信部と、前記需要家が取得した前記グリーン電力使用権に基づいて、前記発電電力の変化に応じて前記需要家側蓄電設備の充電を制御する需要家側制御部と、を有することを特徴とするグリーン電力需給管理システムである。
【０００７】
本発明の他の特徴については、添付図面及び本明細書の記載により明らかとなる。
【発明の効果】
【０００８】
本発明によれば、グリーン電力の導入量が増加しても、電力系統におけるコスト負担を抑制しつつ、出力変動に伴う電力系統への影響を抑制することができる。
【図面の簡単な説明】
【０００９】
【図１】本発明の一実施形態におけるグリーン電力需給管理システムの構成を示すブロック図である。
【図２】親局装置の構成を示すブロック図である。
【図３】子局装置の構成を示すブロック図である。
【図４】太陽電池モジュール群ＰＶの区画および需要家側蓄電設備Ｂｘの充電時間帯ごとのグリーン電力使用権の販売状況の一例を示す図である。
【図５】本発明の一実施形態におけるグリーン電力需給管理システムの需要家側蓄電設備Ｂｘの充電制御を説明するフローチャートである。
【図６】全需要家側蓄電設備の前日の充電終了時刻におけるグリーン電力使用権のキャンセル状況の一例を示す図である。
【図７】図６に示したキャンセル分のグリーン電力使用権を前日キャンセル待ち需要家に配分した結果の一例を示す図である。
【図８】需要家側蓄電設備Ｂｘの当日の充電開始時刻の１時間前におけるグリーン電力使用権のキャンセル状況の一例を示す図である。
【図９】図８に示したキャンセル分のグリーン電力使用権を当日キャンセル待ち需要家に配分した結果の一例を示す図である。
【図１０】本発明の一実施形態におけるグリーン電力需給管理システムの発電所側蓄電設備Ｂ０の充電制御を説明するフローチャートである。
【発明を実施するための形態】
【００１０】
本明細書および添付図面の記載により、少なくとも以下の事項が明らかとなる。
【００１１】
＝＝＝グリーン電力需給管理システムの構成＝＝＝
以下、図１ないし図３を参照して、本発明の一実施形態におけるグリーン電力需給管理システムの構成について説明する。なお、図１においては、電線路を実線で示し、有線または無線による通信路を長破線で示している。
【００１２】
図１に示されている電力系統は、一例として、太陽光発電所（グリーン電力発電所）と需要家＃１ないし＃３とを含む。また、本実施形態のグリーン電力需給管理システムは、グリーン電力の需給を管理するためのシステムであり、親局装置１０、子局装置２１ないし２３、発電所側蓄電設備Ｂ０、および需要家側蓄電設備Ｂ１ないしＢ３を含んで構成されている。
【００１３】
太陽光発電所は、発電設備として太陽電池モジュール（ソーラーパネル）群ＰＶを備え、発電したグリーン電力を電力系統に供給する。また、太陽光発電所には、親局装置１０および発電所側蓄電設備Ｂ０が設置されている。発電所側蓄電設備Ｂ０は、太陽電池モジュール群ＰＶに接続されている。そして、親局装置１０は、太陽光発電所の発電電力Ｗｇを計測するとともに、発電所側蓄電設備Ｂ０の充電を制御する。
【００１４】
需要家＃１ないし＃３には、それぞれ、子局装置２１ないし２３、および需要家側蓄電設備Ｂ１ないしＢ３が設置されている。需要家側蓄電設備Ｂ１ないしＢ３は、電力系統に連系されている。そして、子局装置２１ないし２３は、親局装置１０と通信可能になっており、それぞれ需要家側蓄電設備Ｂ１ないしＢ３の充電を制御する。
【００１５】
なお、需要家側蓄電設備Ｂ１ないしＢ３として、ＥＶ（Electric Vehicle：電気自動車）を用いることもできる。また、需要家側蓄電設備Ｂ１には、負荷Ｌ１ａないしＬ１ｃが接続され、需要家側蓄電設備Ｂ２には、負荷Ｌ２ａないしＬ２ｃが接続され、需要家側蓄電設備Ｂ３には、負荷Ｌ３ａないしＬ３ｃが接続される。これらの負荷としては、住宅内の家電機器や、蓄熱設備などが接続される。
【００１６】
図２は、本実施形態における親局装置１０の構成を示している。図２に示されている親局装置１０は、バス１０９を介して互いに接続された、計測部１０１、処理部１０２、（発電所側）制御部１０３、入出力部１０６、（発電所側）記憶部１０７、および（発電所側）通信部１０８を含んで構成されている。
【００１７】
計測部１０１は、太陽光発電所の発電電力Ｗｇを計測する。また、制御部１０３には、発電所側蓄電設備Ｂ０の空き容量情報Ｓ０が入力されている。さらに、制御部１０３からは、発電所側蓄電設備Ｂ０の制御信号Ｃ０が出力されている。そして、通信部１０８は、長破線で示された通信路を介して子局装置２１ないし２３と通信する。
【００１８】
なお、親局装置１０は、例えば、入出力部１０６および記憶部１０７を備えるコンピュータシステムとして構成することができる。そして、当該コンピュータシステムのプロセッサ（不図示）にプログラムを実行させることによって、計測部１０１、処理部１０２、制御部１０３、および通信部１０８の機能を実現することができる。
【００１９】
図３は、本実施形態における各子局装置２ｘ（ｘ＝１〜３）の構成を示している。図３に示されている子局装置２ｘは、バス２０９を介して互いに接続された、処理部２０２、（需要家側）制御部２０３、入出力部２０６、（需要家側）記憶部２０７、および（需要家側）通信部２０８を含んで構成されている。
【００２０】
制御部２０３には、需要家側蓄電設備Ｂｘの空き容量情報Ｓｘが入力されている。さらに、制御部２０３からは、需要家側蓄電設備Ｂｘの制御信号Ｃｘが出力されている。そして、通信部２０８は、長破線で示された通信路を介して親局装置１０と通信する。
【００２１】
なお、子局装置２ｘは、例えば、入出力部２０６および記憶部２０７を備えるコンピュータシステムとして構成することができる。そして、当該コンピュータシステムのプロセッサ（不図示）にプログラムを実行させることによって、処理部２０２、制御部２０３、および通信部２０８の機能を実現することができる。
【００２２】
＝＝＝グリーン電力需給管理システムの動作＝＝＝
以下、図４ないし図１０を適宜参照して、本実施形態におけるグリーン電力需給管理システムの動作について説明する。
【００２３】
本実施形態のグリーン電力需給管理システムにおいて、太陽光発電所の事業者（グリーン電力事業者）は、グリーン電力の使用を望む需要家に「グリーン電力使用権」を予め販売しておく。そして、需要家は、原則として、予め取得（購入）したグリーン電力使用権の内容に従って、当該太陽光発電所で発電したグリーン電力を使用する。より具体的には、需要家に設置された子局装置２ｘは、当該グリーン電力使用権の内容に従って、発電されたグリーン電力に相当する電力を電力系統から受電して、グリーン電力による発電電力に相当する分だけ需要家側蓄電設備Ｂｘを充電する。
【００２４】
なお、後述するように、需要家が予め取得したグリーン電力使用権をキャンセルする場合があり、他の需要家は、予めキャンセル待ちを申し込んでおくことにより、キャンセルされたグリーン電力使用権を臨時に取得することができる。以下、ある日のグリーン電力使用権について、その前日にキャンセルされる場合のキャンセル待ちを申し込んだ需要家を「前日キャンセル待ち需要家」と称する。一方、当日にキャンセルされる場合のキャンセル待ちを申し込んだ需要家を「当日キャンセル待ち需要家」と称する。
【００２５】
ここで、グリーン電力使用権の販売状況の一例を図４に示す。図４に示すように、グリーン電力使用権は、区画Ｐ１ないしＰ９および各曜日の時間帯Ｔ１ないしＴ３ごとに販売されている。
【００２６】
区画Ｐ１ないしＰ９は、図１に示すように、太陽電池モジュール群ＰＶ全体を９つに分割したそれぞれの区画（発電区画）である。なお、太陽電池モジュール群ＰＶの１枚または複数枚の太陽電池モジュールごとに１つの区画としてもよく、１枚の太陽電池モジュールを仮想的に複数の区画に分割してもよい。また、各区画の大きさが均等でなくてもよい。
【００２７】
時間帯Ｔ１ないしＴ３は、図１に示すように、１日のうち、電力系統を介して供給されるグリーン電力により各需要家側蓄電設備Ｂｘを充電可能な時間（例えば６時から１８時まで）全体を３つに分割したそれぞれの時間帯（充電時間帯）である。本実施形態では、４時間ごとに、６時から１０時までが時間帯Ｔ１、１０時から１４時までが時間帯Ｔ２、１４時から１８時までが時間帯Ｔ３となっている。なお、各時間帯の長さが均等でなくてもよい。
【００２８】
図４において、需要家ＡないしＵは、このような発電区画および充電時間帯を単位とするグリーン電力使用権を予め取得している。例えば、需要家Ａは、月曜日から日曜日まですべての曜日の時間帯Ｔ１における区画Ｐ１のグリーン電力使用権を取得している。また、斜線「／」は、いずれの需要家にも取得されなかった売れ残りのグリーン電力使用権（販売残）を示している。例えば、需要家Ｒは、水曜日から日曜日までの時間帯Ｔ３における区画Ｐ４のグリーン電力使用権を取得しているが、月曜日および火曜日の当該時間帯・区画のグリーン電力使用権は、販売残となっている。さらに、区画Ｐ８およびＰ９のグリーン電力使用権は、いずれの曜日・時間帯についても販売残となっている。
【００２９】
なお、このようなグリーン電力使用権の販売状況は、グリーン電力使用権とそれを取得した需要家とを対応付けて、親局装置１０の記憶部１０７に記憶されている。一方、各子局装置２ｘの記憶部２０７には、需要家が取得したグリーン電力使用権の発電区画および充電時間帯が記憶されている。
【００３０】
図５は、グリーン電力需給管理システムの動作のうち、需要家側蓄電設備Ｂｘに対する１日分の充電制御を示している。なお、図５は、親局装置１０と子局装置２ｘとの連携した動作を示しており、図５においては、親局装置１０を含む発電所側の動作は左側に示され、子局装置２ｘを含む需要家側の動作は右側に示されている。また、長破線の矢印は、親局装置１０と子局装置２ｘとの間の通信を示している。以下、各曜日における充電可能な時間の最後の時刻、すなわち、最後の時間帯Ｔ３の最後の時刻（１８時）を「充電終了時刻」と称する。一方、各時間帯の最初の時刻（６時，１０時，１４時）を「充電開始時刻」と称する。
【００３１】
Ｓ１１およびＳ２１は、前日（例えば金曜日）の充電終了時刻に行われる処理である。親局装置１０の処理部１０２は、通信部１０８を介して、当日（例えば土曜日）分のグリーン電力使用権を予め取得した需要家の子局装置２ｘに対して、当該グリーン電力使用権をキャンセルするか否かを問い合わせる（Ｓ１１）。この問い合わせに対して、子局装置２ｘの処理部２０２は、通信部２０８を介して、キャンセルするか否かを回答する（Ｓ２１）。
【００３２】
ここで、需要家が取得したグリーン電力使用権に基づいてグリーン電力を使用する（需要家側蓄電設備Ｂｘを充電する）ためには、当該グリーン電力使用権の発電区画および充電時間帯における最大発電電力量に相当する空き容量が需要家側蓄電設備Ｂｘに確保されている必要がある。そして、需要家は、当該空き容量を確保できない場合には、入出力部２０６を介して、グリーン電力使用権をキャンセルする旨の設定を子局装置２ｘにしておき、処理部２０２は、当該設定に従ってキャンセル情報を通信部２０８から送信させる。
【００３３】
例えば、前日から当日にかけての外出予定により、需要家側蓄電設備Ｂｘに接続された家電機器が使用されず、需要家側蓄電設備Ｂｘの空き容量を確保できない場合に、子局装置２ｘは、キャンセル情報を親局装置１０に送信してキャンセルの旨の回答をする。また、例えば、外出予定の中止により、需要家側蓄電設備ＢｘとしてのＥＶが使用されず、ＥＶのバッテリの空き容量を確保できない場合も、子局装置２ｘは、キャンセル情報を親局装置１０に送信してキャンセルの旨の回答をする。また、例えば、需要家側蓄電設備ＢｘとしてのＥＶが接続されていない場合に、自動的にキャンセルの旨の回答をする構成としてもよい。
【００３４】
親局装置１０は、通信部１０８を介して、子局装置２ｘからのキャンセル情報を受信する。このとき、前日キャンセル待ち需要家がいる場合（Ｓ１２：ＹＥＳ）には、処理部１０２は、当該キャンセル情報に基づいて、例えば先着順で、キャンセルされたグリーン電力使用権を前日キャンセル待ち需要家に配分する（Ｓ１３）。一方、前日キャンセル待ち需要家がいない場合（Ｓ１２：ＮＯ）には、当該キャンセル分のグリーン電力使用権の配分は行われない。
【００３５】
ここで、キャンセル分のグリーン電力使用権の前日キャンセル待ち需要家への配分の一例を図６および図７に示す。図６は、前日（金曜日）の充電終了時刻におけるグリーン電力使用権のキャンセル状況を示しており、当日（土曜日）分のグリーン電力使用権のうち、時間帯Ｔ１における区画Ｐ１およびＰ２のグリーン電力使用権がキャンセルされている。また、図７は、当該キャンセル分のグリーン電力使用権を前日キャンセル待ち需要家に配分した結果を示しており、時間帯Ｔ１における区画Ｐ１のグリーン電力使用権が前日キャンセル待ち需要家Ｖに配分されている。一方、時間帯Ｔ１における区画Ｐ２のグリーン電力使用権は、配分残（以下、前日配分残と称する）となっている。
【００３６】
当日分のグリーン電力使用権について、子局装置２ｘがキャンセルしない旨の回答をした場合（Ｓ２２：ＮＯ）、需要家は、当該グリーン電力使用権の発電区画および充電時間帯における最大発電電力量に相当する空き容量を需要家側蓄電設備Ｂｘに確保しておく（Ｓ２３）。なお、Ｓ２３は、グリーン電力需給管理システムの動作ではなく、需要家の行為である。また、本実施形態では、需要家側蓄電設備Ｂｘの空き容量は、当該グリーン電力使用権の充電時間帯における充電開始時刻の１時間前までに確保しておく必要がある。一方、子局装置２ｘがキャンセルする旨の回答をした場合（Ｓ２２：ＹＥＳ）、当該グリーン電力使用権に基づく需要家側蓄電設備Ｂｘの充電制御は行われない。
【００３７】
親局装置１０のＳ１４ないしＳ１７は、時間帯Ｔ１ないしＴ３のそれぞれに対して行われる処理である。一方、子局装置２ｘのＳ２４ないしＳ２６は、需要家が取得したグリーン電力使用権の充電時間帯に対して行われる処理である。以下においては、一例として、時間帯Ｔ２（１０時から１４時まで）の場合について説明する。
【００３８】
Ｓ１４およびＳ２４は、当日（土曜日）の充電開始時刻の１時間前（９時）に行われる処理である。親局装置１０の処理部１０２は、通信部１０８を介して、時間帯Ｔ２分のグリーン電力使用権を取得した需要家（前日キャンセル待ち需要家を含む）の子局装置２ｘに対して、当該グリーン電力使用権をキャンセルするか否かを問い合わせる（Ｓ１４）。この問い合わせに対して、子局装置２ｘの処理部２０２は、通信部２０８を介して、キャンセルするか否かを回答する（Ｓ２４）。より具体的には、当該グリーン電力使用権の発電区画および充電時間帯（時間帯Ｔ２）における最大発電電力量に相当する空き容量が需要家側蓄電設備Ｂｘに確保されていない場合には、処理部２０２は、自動的にキャンセル情報を通信部２０８から送信させる。
【００３９】
親局装置１０は、通信部１０８を介して、子局装置２ｘからのキャンセル情報を受信する。このとき、当日キャンセル待ち需要家がいる場合（Ｓ１５：ＹＥＳ）には、処理部１０２は、当該キャンセル情報に基づいて、例えば先着順で、キャンセルされたグリーン電力使用権を当日キャンセル待ち需要家に配分する（Ｓ１６）。一方、当日キャンセル待ち需要家がいない場合（Ｓ１５：ＮＯ）には、当該キャンセル分のグリーン電力使用権の配分は行われない。
【００４０】
ここで、キャンセル分のグリーン電力使用権の当日キャンセル待ち需要家への配分の一例を図８および図９に示す。図８は、当日（土曜日）の時間帯Ｔ２の充電開始時刻の１時間前（９時）におけるグリーン電力使用権のキャンセル状況を示しており、時間帯Ｔ２分のグリーン電力使用権のうち、区画Ｐ１ないしＰ３のグリーン電力使用権がキャンセルされている。また、図９は、当該キャンセル分のグリーン電力使用権を当日キャンセル待ち需要家に配分した結果を示しており、時間帯Ｔ２における区画Ｐ１およびＰ２のグリーン電力使用権がそれぞれ当日キャンセル待ち需要家ＷおよびＸに配分されている。一方、時間帯Ｔ２における区画Ｐ３のグリーン電力使用権は、配分残（以下、当日配分残と称する）となっている。
【００４１】
Ｓ１７およびＳ２６は、時間帯Ｔ２（１０時から１４時まで）に行われる処理である。親局装置１０の計測部１０１は、太陽電池モジュール群ＰＶの発電電力Ｗｇを計測し、処理部１０２は、時間帯Ｔ２分のグリーン電力使用権を取得した需要家の子局装置２ｘに対して、発電電力Ｗｇの計測値を通信部２０８から送信させる（Ｓ１７）。
【００４２】
また、時間帯Ｔ２分のグリーン電力使用権について、子局装置２ｘがキャンセルしない旨の回答をした場合（Ｓ２５：ＮＯ）、制御部２０３は、当該グリーン電力使用権に基づいて、発電電力Ｗｇの変化に応じて需要家側蓄電設備Ｂｘの充電を制御する（Ｓ２６）。より具体的には、制御部２０３は、当該グリーン電力使用権の発電区画（例えば区画Ｐ１）が太陽電池モジュール群ＰＶ全体に占める割合を発電電力Ｗｇに乗じた値に基づいて、需要家側蓄電設備Ｂｘの充電を制御する。一方、子局装置２ｘがキャンセルする旨の回答をした場合（Ｓ２５：ＹＥＳ）、当該グリーン電力使用権に基づく需要家側蓄電設備Ｂｘの充電制御は行われない。
【００４３】
図１０は、グリーン電力需給管理システムの動作のうち、発電所側蓄電設備Ｂ０に対する１日分の充電制御を示している。
【００４４】
Ｓ３１は、前日キャンセル待ち需要家に対するキャンセル分のグリーン電力使用権の配分（図５のＳ１３）後に行われる処理である。親局装置１０の処理部１０２は、当日（土曜日）分のグリーン電力使用権のうち、いずれの需要家にも取得されなかったグリーン電力使用権（販売残および前日配分残）分の最大発電電力量を前日必要確保量Ｎ１として算出する（Ｓ３１）。また、処理部１０２は、電力会社や電力市場などへの売電により、前日必要確保量Ｎ１に相当する空き容量を発電所側蓄電設備Ｂ０に確保する（Ｓ３２）。
【００４５】
Ｓ３３ないしＳ３７は、時間帯Ｔ１ないしＴ３のそれぞれに対して行われる処理である。以下においては、一例として、時間帯Ｔ２（１０時から１４時まで）の場合について説明する。
【００４６】
Ｓ３３は、当日キャンセル待ち需要家に対するキャンセル分のグリーン電力使用権の配分（図５のＳ１６）後に行われる処理である。親局装置１０の処理部１０２は、時間帯Ｔ２分のグリーン電力使用権のうち当日配分残分の最大発電電力量を前日必要確保量Ｎ１に加算して、当日必要確保量Ｎ２を算出する（Ｓ３３）。また、処理部１０２は、電力会社や電力市場などへの売電により、当日必要確保量Ｎ２に相当する空き容量を発電所側蓄電設備Ｂ０に確保する（Ｓ３４）。
【００４７】
Ｓ３６およびＳ３７は、時間帯Ｔ２（１０時から１４時まで）に行われる処理である。当日必要確保量Ｎ２に相当する空き容量が発電所側蓄電設備Ｂ０に確保された場合（Ｓ３５：ＹＥＳ）、制御部１０３は、販売残および配分残のグリーン電力使用権に基づいて、発電電力Ｗｇの変化に応じて発電所側蓄電設備Ｂ０の充電を制御する（Ｓ３６）。より具体的には、制御部１０３は、当該販売残および配分残のグリーン電力使用権の発電区画（例えば区画Ｐ３，Ｐ６，Ｐ８，Ｐ９）が太陽電池モジュール群ＰＶ全体に占める割合を発電電力Ｗｇに乗じた値に基づいて、発電所側蓄電設備Ｂ０の充電を制御する。
【００４８】
一方、当日必要確保量Ｎ２に相当する空き容量が発電所側蓄電設備Ｂ０に確保されなかった場合（Ｓ３５：ＮＯ）も、制御部１０３は、販売残および配分残のグリーン電力使用権に基づいて、発電電力Ｗｇの変化に応じて発電所側蓄電設備Ｂ０の充電を制御する。ただし、発電所側蓄電設備Ｂ０の容量を超過した場合、処理部１０２は、当該超過分を電力会社や電力市場などに売電する（Ｓ３７）。
【００４９】
前述したように、図１に示したグリーン電力需給管理システムにおいて、電力系統に連系された需要家側蓄電設備Ｂｘを需要家に設置し、親局装置１０は、太陽光発電所の発電電力Ｗｇの計測値を子局装置２ｘに送信し、子局装置２ｘは、需要家が取得したグリーン電力使用権に基づいて、発電電力Ｗｇの変化に応じて需要家側蓄電設備Ｂｘの充電を制御することによって、電力系統に蓄電設備を設置しなくても出力変動に伴う電力系統への影響を抑制することができる。そのため、グリーン電力の導入量が増加しても、電力系統における大容量の蓄電設備の設置コストや維持コストなどの負担を抑制することができる。
【００５０】
また、グリーン電力使用権を発電区画および充電時間帯で分割した単位で取り扱うことにより、グリーン電力使用権の取得単位が小さくなり、確保する必要がある需要家側蓄電設備Ｂｘの空き容量を小さくすることができる。そのため、太陽光発電所の発電電力量が見込みより不足した場合の影響を軽減することができる。特に、発電区画だけでなく、充電時間帯でも分割したことにより、太陽光発電が可能な昼間の時間帯に需要家側蓄電設備Ｂｘを充電しつつ、充電された電力を昼間の別の時間帯に消費することもでき、より柔軟にグリーン電力を使用することができる。
【００５１】
また、需要家が取得したグリーン電力使用権の発電区画が太陽電池モジュール群ＰＶ全体に占める割合を太陽光発電所の発電電力Ｗｇに乗じた値に基づいて、需要家側蓄電設備Ｂｘの充電を制御することによって、需要家側蓄電設備Ｂｘの充電を発電電力Ｗｇの変化に追従させることができる。
【００５２】
また、太陽電池モジュール群ＰＶに接続された発電所側蓄電設備Ｂ０を発電所に設置し、親局装置１０は、販売残および配分残のグリーン電力使用権に基づいて、発電電力Ｗｇの変化に応じて発電所側蓄電設備Ｂ０の充電を制御することによって、グリーン電力使用権の売れ残りやキャンセルによる影響を吸収することができる。
【００５３】
また、キャンセルされたグリーン電力使用権を前日／当日キャンセル待ち需要家に配分することによって、確保する必要がある発電所側蓄電設備Ｂ０の空き容量を小さくすることができる。
【００５４】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５５】
１０        親局装置
２ｘ（２１〜２３）  子局装置
１０１          計測部
１０２、２０２  処理部
１０３、２０３  制御部
１０６、２０６  入出力部
１０７、２０７  記憶部
１０８、２０８  通信部
１０９、２０９  バス
Ｂ０        発電所側蓄電設備
Ｂｘ（Ｂ１〜Ｂ３）  需要家側蓄電設備
Ｌ１ａ〜Ｌ１ｃ、Ｌ２ａ〜Ｌ２ｃ、Ｌ３ａ〜Ｌ３ｃ  負荷
ＰＶ        太陽電池モジュール群
【図１】
2014239569.tif 000003
【図２】
2014239569.tif 000004
【図３】
2014239569.tif 000005
【図４】
2014239569.tif 000006
【図５】
2014239569.tif 000007
【図６】
2014239569.tif 000008
【図７】
2014239569.tif 000009
【図８】
2014239569.tif 000010
【図９】
2014239569.tif 000011
【図１０】
2014239569.tif 000012